Podtech/llm-jp-corpus-v4-ja_patent huggingface dataset:
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
エッジ（Ｅ０ないしＥ７）によって組み立てられる複数の２次元パターン（Ｐ）を含む仮想衣類またはアップホルスタリのシームを定義するためのコンピュータ実施される方法であって、
ａ）前記パターンを３次元アバタ（ＡＶ）の周囲に配置するステップであって、各パターンの位置は、前記組み立てられる衣類またはアップホルスタリ内における、それの場所に依存する、ステップと、
ｂ）先にシームレスとして識別されたエッジを除く、各パターンの各エッジ（Ｅ０）に対して、
ｂ１）それに継ぎ合わされるのに適した、候補エッジと呼ばれる、少なくとも１つのエッジ（Ｅ１ないしＥ７）を自動的に識別するステップと、
ｂ２）複数の候補エッジが識別された場合、それらのうちの１つ（Ｅ１）を、少なくとも１つの幾何学的な基準に基づいて選択するステップと、
ｂ３）前記エッジと、前記選択された、またはただ１つの候補エッジとの間に、シームを定義するステップと
を具え、
前記ステップｂ１）、ｂ２）、およびｂ３）は、コンピュータによって自動的に実行されることを特徴とする方法。
【請求項２】
前記ステップｂ１）は、シームレスとして識別されておらず、それに対してシームがまだ定義されておらず、事前決定された許容範囲内で前記エッジの長さに等しい長さを有する、すべてのエッジを候補として識別するステップを含むことを特徴とする請求項１に記載の方法。
【請求項３】
前記ステップｂ２）は、
−  前記エッジからの最短距離と、
−  前記エッジとの向きの最小不一致と、
−  閾値よりも低い前記エッジとの向きの不一致と、
−  前記エッジとのシームが前記アバタと交差しないという事実と
の中から選択される少なくとも１つの基準に基づいて、１つの候補エッジを選択するステップを含むことを特徴とする請求項１または２に記載の方法。
【請求項４】
前記ステップｂ２）は、前記候補エッジを、前記エッジ（Ｅ０）からそれらまでの距離に従ってソートするステップを含むことを特徴とする請求項３に記載の方法。
【請求項５】
前記ステップｂ２）は、前記エッジからの最短距離を有する候補エッジが、
−  閾値よりも高い前記エッジとの向きの不一致と、
−  前記エッジとのシームが前記アバタと交差するという事実と
の中の少なくとも１つを含む、不可能性条件と呼ばれる、条件のセットを満たす場合、前記エッジからの最短距離を有する前記候補エッジを、ふるい落とすステップをさらに含むことを特徴とする請求項４に記載の方法。
【請求項６】
ｃ）ユーザが、ステップｂ３）において定義されたシームを手動で削除すること、および／または追加シームを手動で定義すること、を可能にするステップをさらに含むことを特徴とする請求項１ないし５のいずれかに記載の方法。
【請求項７】
ｄ）前記定義されたシームに従って、前記仮想衣類またはアップホルスタリ（Ｇ）を前記アバタ（ＡＶ）の周囲に組み立て、それの垂れかかりについての物理的なシミュレーションを実行するステップをさらに含むことを特徴とする請求項１ないし６のいずれかに記載の方法。
【請求項８】
前記ステップａ）は、前記２次元パターンを２次元グラフィックファイルからインポートし、それらを、ユーザからの入力に従って、前記３次元アバタの周囲に配置するステップを含むことを特徴とする請求項１ないし７のいずれかに記載の方法。
【請求項９】
前記ステップａ）は、前記２次元パターンを前記３次元アバタの周囲に設計するために、３次元コンピュータ支援設計ソフトウェアツールを使用するステップを含むことを特徴とする請求項１ないし７のいずれかに記載の方法。
【請求項１０】
前記２次元パターンのうちの少なくとも１つは、シームレスとして事前識別された少なくとも１つのエッジを含むことを特徴とする請求項１ないし９のいずれかに記載の方法。
【請求項１１】
前記２次元パターンのうちの少なくとも１つは、インターナルシームがその間に事前定義されるエッジの少なくともペアを含むことを特徴とする請求項１ないし１０のいずれかに記載の方法。
【請求項１２】
シームレスエッジと、インターナルシームがその間に事前定義されるエッジのペア（ＩＥ１、ＩＥ２）とを識別するステップをさらに含み、前記ステップは、前記ステップｂ１）の前に実施されることを特徴とする請求項１ないし９のいずれかに記載の方法。
【請求項１３】
コンピュータシステムに請求項１ないし１２のいずれかに記載の方法を実施させるためのコンピュータ実行可能命令を含む、不揮発性コンピュータ可読データ記憶媒体（Ｍ１ないしＭ４）上に記憶されたことを特徴とするコンピュータプログラム。
【請求項１４】
コンピュータシステムに請求項１ないし１２のいずれかに記載の方法を実施させるためのコンピュータ実行可能命令を含むことを特徴とする不揮発性コンピュータ可読データ記憶媒体（Ｍ１ないしＭ４）。
【請求項１５】
メモリ（Ｍ１ないしＭ４）に結合されたプロセッサ（ＰＲ）と、グラフィカルユーザインタフェース（ＩＦ）とを備え、前記メモリは、コンピュータ支援設計システムに請求項１ないし１２のいずれかに記載の方法を実施させるためのコンピュータ実行可能命令を記憶することを特徴とするコンピュータ支援設計システム。
【請求項１６】
エッジによって組み立てられる複数の２次元パターンを含む衣類またはアップホルスタリを製造する方法であって、
−  請求項１ないし１２のいずれかに記載の方法によって、前記パターン（Ｐ）間にシームを定義するサブステップを含む、前記衣類またはアップホルスタリ（Ｇ）を設計するステップと、
−  前記シームを実現することによって前記パターンを組み立てることを含む、前記衣類またはアップホルスタリを物理的に製造するステップと
を具えたことを特徴とする方法。
【請求項１７】
請求項１６に記載の製造の方法によって獲得されることを特徴とする衣類またはアップホルスタリ。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
印刷データのプレビュー表示を行うことが可能な情報処理システムであって、
前記印刷データを印刷する指示を受け付ける受付手段と、
前記受付手段で印刷する指示を受け付けた前記印刷データのプレビュー表示が行われたかを判定する判定手段と、
前記判定手段で、前記印刷データのプレビュー表示が行われていないと判定された場合に、前記プレビュー表示が行われていない旨を通知する通知手段と
を備えることを特徴とする情報処理システム。
【請求項２】
前記判定手段で、前記印刷データのプレビュー表示が行われていないと判定された場合に、前記印刷データを印刷させないよう制御する印刷制御手段を備えることを特徴とする請求項１に記載の情報処理システム。
【請求項３】
前記印刷制御手段は、前記判定手段により、前記印刷データのプレビュー表示が行われたと判定された場合に、前記印刷データの印刷が出来るように制御することを特徴とする請求項２に記載の情報処理システム。
【請求項４】
前記受付手段で印刷指示を受け付けた前記印刷データのページ数を取得する取得手段を備え、
前記通知手段は、前記判定手段で、前記印刷データのプレビュー表示が行われていないと判定される場合で、かつ、前記取得手段で取得されたページ数が所定値以上である場合に、前記プレビュー表示が行われていない旨を通知することを特徴とする請求項１乃至３のいずれか１項に記載の情報処理システム。
【請求項５】
前記通知手段は、前記取得手段で取得されたページ数が所定値未満である場合には、前記判定手段で、前記印刷データのプレビュー表示が行われていないと判定される場合であっても、前記プレビュー表示が行われていない旨を通知しないことを特徴とする請求項４に記載の情報処理システム。
【請求項６】
印刷データのプレビュー表示を行うことが可能な情報処理システムの制御方法であって、
前記印刷データを印刷する指示を受け付ける受付工程と、
前記受付工程で印刷する指示を受け付けた前記印刷データのプレビュー表示が行われたかを判定する判定工程と、
前記判定工程で、前記印刷データのプレビュー表示が行われていないと判定された場合に、前記プレビュー表示が行われていない旨を通知する通知工程と
を含むことを特徴とする情報処理システムの制御方法。
【請求項７】
請求項１乃至５の何れか１項に記載の情報処理システムとして機能させるためのプログラム。
【手続補正２】
【補正対象書類名】明細書
【補正対象項目名】発明の名称
【補正方法】変更
【補正の内容】
【発明の名称】情報処理システム、その制御方法、及びプログラム
【手続補正３】
【補正対象書類名】明細書
【補正対象項目名】０００１
【補正方法】変更
【補正の内容】
【０００１】
印刷データのプレビュー表示を、印刷前にユーザが確実に確認でき、誤った印刷設定の印刷によるコスト削減、資源の削減を行うことができる仕組みを提供することの可能な情報処理システム、その制御方法、及びプログラムに関する。
【手続補正４】
【補正対象書類名】明細書
【補正対象項目名】０００９
【補正方法】変更
【補正の内容】
【０００９】
本発明は、印刷データのプレビュー表示を、印刷前にユーザが確実に確認でき、誤った印刷設定の印刷によるコスト削減、資源の削減を行うことができる仕組みを提供することを目的とする。
【手続補正５】
【補正対象書類名】明細書
【補正対象項目名】００１０
【補正方法】変更
【補正の内容】
【００１０】
上記の目的を達成するための、本発明の情報処理システムは、印刷データのプレビュー表示を行うことが可能な情報処理システムであって、前記印刷データを印刷する指示を受け付ける受付手段と、前記受付手段で印刷する指示を受け付けた前記印刷データのプレビュー表示が行われたかを判定する判定手段と、前記判定手段で、前記印刷データのプレビュー表示が行われていないと判定された場合に、前記プレビュー表示が行われていない旨を通知する通知手段とを備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明によれば、印刷データのプレビュー表示を、印刷前にユーザが確実に確認でき、誤った印刷設定の印刷によるコスト削減、資源の削減を行うことができる仕組みを提供することができる。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能なカートリッジであって、
前記装置本体に設けられた駆動軸と結合可能なカップリングを有し、前記駆動軸から駆動力が伝達されて回転する回転部材と、
前記回転部材を軸支する軸受部材と、
を備えるカートリッジにおいて、
前記軸受部材は、前記回転部材の回転軸線の方向に関して前記カートリッジの一端側の部分に配置され、前記装置本体に設けられた係合部に係合される被係合部を有し、
前記被係合部と前記係合部との係合状態が、カートリッジが前記装置本体に装着される間の、少なくとも前記カップリングが前記駆動軸と結合するまでの間、維持され、
前記被係合部と前記係合部とが係合状態にある時、前記軸受部材は、前記装置本体に対して、前記回転軸線の方向に関して少なくとも他端側への移動することを規制されることを特徴とするカートリッジ。
【請求項２】
前記被係合部は、カートリッジが前記装置本体における装着完了位置に達する前に、前記係合状態が解除されることを特徴とする請求項１に記載のカートリッジ。
【請求項３】
前記軸受部材は、カートリッジの前記装置本体における装着完了位置において、装着時におけるカートリッジの前記装置本体に対する挿入方向に、前記装置本体において前記係合部が設けられた部材と当接する当接部をさらに備えることを特徴とする請求項１または２に記載のカートリッジ。
【請求項４】
前記係合部を第１の係合部、前記被係合部を第１の被係合部としたときに、
前記軸受部材は、前記装置本体における装着完了位置において、カートリッジの前記装置本体に対する回転軸線の方向の移動が規制されるように、前記装置本体に設けられた第２の係合部に係合される第２の被係合部をさらに備えることを特徴とする請求項１〜３のいずれか１項に記載のカートリッジ。
【請求項５】
前記第１の被係合部は、前記第２の被係合部が前記第２の係合部に係合される状態となる前に、前記第１の係合部との係合が解除されることを特徴とする請求項４に記載のカートリッジ。
【請求項６】
前記回転部材は、感光ドラムであることを特徴とする請求項１〜５のいずれか１項に記載のカートリッジ。
【請求項７】
前記回転部材は、帯電ローラであることを特徴とする請求項１〜５のいずれか１項に記載のカートリッジ。
【請求項８】
回転部材を備えるカートリッジが、前記回転部材に駆動力を伝達するための駆動軸を有する装置本体に対して着脱可能に構成された画像形成装置であって、
前記装置本体は、前記駆動軸を回転可能に軸支する支持部材が、回転軸線の方向における前記回転部材の移動を規制するための係合部を有し、
前記カートリッジは、前記回転部材を軸支する軸受部材と、前記軸受部材に設けられ、前記回転部材の回転軸線の方向に関して前記カートリッジの一端側の部分に配置され、前記係合部に係合される被係合部と、を有し、
前記係合部と前記被係合部との係合状態が、前記カートリッジが前記装置本体に装着されるまでの間の、少なくとも前記駆動軸に結合可能な前記回転部材のカップリングが前記駆動軸と結合するまでの間、維持され、前記被係合部と前記係合部とが係合状態にある時、前記軸受部材が、前記装置本体に対して、前記回転軸線の方向に関して少なくとも他端側への移動することを規制することを特徴とする画像形成装置。
【請求項９】
前記被係合部は、前記カートリッジが前記装置本体における装着完了位置に達する前に、前記係合状態が解除されることを特徴とする請求項８に記載の画像形成装置。
【請求項１０】
前記係合部を第１の係合部、前記被係合部を第１の被係合部としたときに、
前記軸受部材は、前記カートリッジの前記装置本体における装着完了位置において、前記カートリッジの前記装置本体に対する回転軸線の方向の移動が規制されるように、前記装置本体に設けられた第２の係合部に係合される第２の被係合部をさらに備えることを特徴とする請求項８または９に記載の画像形成装置。
【請求項１１】
前記第１の被係合部は、前記第２の被係合部が前記第２の係合部に係合される状態となる前に、前記第１の係合部との係合が解除されることを特徴とする請求項１０に記載の画像形成装置。
【請求項１２】
前記軸受部材は、前記カートリッジの前記装置本体における装着完了位置において、装着時における前記カートリッジの前記装置本体に対する挿入方向に、前記支持部材と当接する当接部をさらに備えることを特徴とする請求項８〜１１のいずれか１項に記載の画像形成装置。
【請求項１３】
前記回転部材は、感光ドラムであることを特徴とする請求項８〜１２のいずれか１項に記載の画像形成装置。
【請求項１４】
前記回転部材は、帯電ローラであることを特徴とする請求項８〜１２のいずれか１項に記載の画像形成装置。
【手続補正書】
【提出日】令和1年10月10日(2019.10.10)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１の表示素子と、第２の表示素子と、画素回路と、第１の絶縁膜と、
を有する表示装置であって、
前記第１の表示素子は、第１の電極と、液晶層と、を有し、
前記第２の表示素子は、第２の電極と、発光層と、を有し、
前記第１の電極は、前記画素回路と電気的に接続され、
前記第２の電極は、前記画素回路と電気的に接続され、
前記第１の電極は、反射膜を有し、
前記反射膜は、開口部を有し、
前記画素回路は、トランジスタを有し、
前記トランジスタは、半導体膜と、第２の絶縁膜と、を有し、
前記開口部は、前記第１の絶縁膜と重なり、且つ前記第２の絶縁膜と重ならない領域を有し、
前記半導体膜は、前記第１の絶縁膜、及び前記第２の絶縁膜と重なる領域を有する、
ことを特徴とする表示装置。
【請求項２】
第１の表示素子と、第２の表示素子と、画素回路と、第１の絶縁膜と、
を有する表示装置であって、
前記第１の表示素子は、第１の電極と、液晶層と、を有し、
前記第２の表示素子は、第２の電極と、発光層と、を有し、
前記第１の電極は、前記画素回路と電気的に接続され、
前記第２の電極は、前記画素回路と電気的に接続され、
前記第１の電極は、反射膜を有し、
前記反射膜は、開口部を有し、
前記画素回路は、トランジスタを有し、
前記トランジスタは、半導体膜と、第２の絶縁膜と、第３の絶縁膜と、を有し
前記開口部は、前記第１の絶縁膜、及び前記第２の絶縁膜と重なり、且つ前記第３の絶縁膜と重ならない領域を有し、
前記半導体膜は、前記第１の絶縁膜、前記第２の絶縁膜、及び前記第３の絶縁膜と重なる領域を有する、
ことを特徴とする表示装置。
【請求項３】
請求項２において、
前記第２の絶縁膜の屈折率は、前記第３の絶縁膜の屈折率と異なる、
ことを特徴とする表示装置。
【請求項４】
請求項１乃至請求項３のいずれか一項において、
前記開口部と重なる絶縁膜の層数は、前記半導体膜と重なる絶縁膜の層数よりも少ない、
ことを特徴とする表示装置。
【請求項５】
請求項１乃至請求項４のいずれか一項において、
前記第２の表示素子は、前記開口部に向けて光を射出する機能を有し、
前記第２の表示素子は、前記第１の表示素子が表示をする方向と、同一方向に表示をする機能を有する、
ことを特徴とする表示装置。
【請求項６】
請求項１乃至請求項５のいずれか一項において、
前記半導体膜は、酸化物半導体を有する、
ことを特徴とする表示装置。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
ストレージ装置を含む電子システムであって、
前記ストレージ装置は、インタフェイスコマンドを受信するように構成され、
インタフェイス制御ユニットと、
前記インタフェイス制御ユニットに連結され、論理ブロックアドレスコマンドを実行するように構成された第１中央処理装置と、
前記インタフェイス制御ユニットに連結され、キー値（ｋｅｙ＿ｖａｌｕｅ）コマンドを実行するように構成された第２中央処理装置と、
揮発性メモリ、前記第１中央処理装置、及び前記第２中央処理装置に連結され、前記論理ブロックアドレスコマンド及び前記キー値コマンドを独立的に且つ同時に処理するように構成された不揮発性ストレージと、を含み、
前記論理ブロックアドレスコマンド又は前記キー値コマンドを完了した後に、前記第１中央処理装置又は前記第２中央処理装置は、細部状態（ａ  ｄｅｔａｉｌｅｄ  ｓｔａｔｕｓ）をコンパイル（ｃｏｍｐｉｌｅ）するように構成され、
前記インタフェイス制御ユニットは、装置連結構造体に連結され、前記細部状態を装置ドライバに伝達することによって、前記インタフェイスコマンドに応答するように構成される、ことを特徴とする電子システム。
【請求項２】
前記インタフェイス制御ユニットは、前記論理ブロックアドレスコマンドを分析するように構成された第１コマンドプロセッサを含む、ことを特徴とする請求項１に記載の電子システム。
【請求項３】
前記インタフェイス制御ユニットは、前記キー値コマンドを分析するように構成された第２コマンドプロセッサを含む、ことを特徴とする請求項１に記載の電子システム。
【請求項４】
前記インタフェイス制御ユニットは、調節コマンドを分析するように構成された第１コマンドプロセッサを含む、ことを特徴とする請求項１に記載の電子システム。
【請求項５】
前記インタフェイスコマンドを分析し、前記インタフェイスコマンドのＤＷＯＲＤ１５に基づいて第１コマンドプロセッサ又は第２コマンドプロセッサコマンドにルート（ｒｏｕｔｅ）するように構成されたコマンドマルチプレクサをさらに含む、ことを特徴とする請求項１に記載の電子システム。
【請求項６】
前記論理ブロックアドレスコマンドを実行するように構成された前記第１中央処理装置によってアクセスされる揮発性メモリをさらに含む、ことを特徴とする請求項１に記載の電子システム。
【請求項７】
前記キー値コマンドを実行するように構成された第２中央処理装置によってアクセスされる揮発性メモリをさらに含む、ことを特徴とする請求項１に記載の電子システム。
【請求項８】
複数の中央処理装置から前記第１中央処理装置を選択するために、前記インタフェイス制御ユニットは、前記インタフェイスコマンドを分析するように構成される、ことを特徴とする請求項１に記載の電子システム。
【請求項９】
調節コマンドを実行し、前記論理ブロックアドレスコマンド、前記キー値コマンド、又はこれらの組合せを実行する前記複数の中央処理装置の中の１つ以上を再構成するように構成された第１コマンドプロセッサをさらに含む、ことを特徴とする請求項１に記載の電子システム。
【請求項１０】
前記インタフェイス制御ユニットは、ホストプロセッサにロードされたキー値アプリケーションプログラムインタフェイス（ＡＰＩ）又は論理ブロックアドレスアプリケーションプログラムインタフェイス（ＡＰＩ）に応答して、前記装置ドライバによって生成された前記インタフェイスコマンドを受信するように構成された、ことを特徴とする請求項１に記載の電子システム。
【請求項１１】
電子システムの動作方法であって、
ストレージ装置によってインタフェイスコマンドを受信する段階と、
論理ブロックアドレスコマンド又はキー値コマンドを完了した後、第１中央処理装置又は第２中央処理装置によって細部状態をコンパイルする段階と、
前記細部状態を装置連結構造体を通じて装置ドライバに伝達することで、前記インタフェイスコマンドに応答する段階と、を含み、
前記ストレージ装置によってインタフェイスコマンドを受信する段階は、
インタフェイス制御ユニットで前記インタフェイスコマンドを分析する段階と、
前記論理ブロックアドレスコマンドを実行する前記第１中央処理装置を選択する段階と、
前記キー値コマンドを実行する前記第２中央処理装置を選択する段階と、
不揮発性ストレージにアクセスする前記論理ブロックアドレスコマンド及び前記キー値コマンドを独立的に且つ同時に処理する段階と、を含む、ことを特徴とする電子システムの動作方法。
【請求項１２】
コマンドマルチプレクサによって選択された第１コマンドプロセッサによって、前記インタフェイスコマンドを分析して前記論理ブロックアドレスコマンドを識別する段階をさらに含む、ことを特徴とする請求項１１に記載の電子システムの動作方法。
【請求項１３】
コマンドマルチプレクサによって選択された第２コマンドプロセッサによって、前記インタフェイスコマンドを分析して前記キー値コマンドを識別する段階をさらに含む、ことを特徴とする請求項１１に記載の電子システムの動作方法。
【請求項１４】
コマンドマルチプレクサによって選択された第１コマンドプロセッサによって、前記インタフェイスコマンドを分析して調節コマンドを識別する段階をさらに含む、ことを特徴とする請求項１１に記載の電子システムの動作方法。
【請求項１５】
前記インタフェイスコマンドを分析し、前記インタフェイスコマンドのＤＷＯＲＤ１５に基づいて第１コマンドプロセッサ又は第２コマンドプロセッサをルーティング（ｒｏｕｔｉｎｇ）する段階をさらに含む、ことを特徴とする請求項１１に記載の電子システムの動作方法。
【請求項１６】
前記論理ブロックアドレスコマンドを実行するように構成された前記第１中央処理装置によって、揮発性メモリにアクセスする段階をさらに含む、ことを特徴とする請求項１１に記載の電子システムの動作方法。
【請求項１７】
前記キー値コマンドを実行するように構成された前記第２中央処理装置によって、揮発性メモリにアクセスする段階をさらに含む、ことを特徴とする請求項１１に記載の電子システムの動作方法。
【請求項１８】
複数の中央処理装置から前記第１中央処理装置を選択する前記インタフェイスコマンドを分析する段階をさらに含む、ことを特徴とする請求項１１に記載の電子システムの動作方法。
【請求項１９】
前記論理ブロックアドレスコマンド、前記キー値コマンド、又はこれらの組合せを実行する１つ以上の中央処理装置を再構成する調節コマンドを実行する段階をさらに含む、ことを特徴とする請求項１１に記載の電子システムの動作方法。
【請求項２０】
ホストプロセッサにロードされたキー値アプリケーションプログラムインタフェイス又は論理ブロックアドレスアプリケーションプログラムインタフェイスに応答して、前記装置ドライバによって生成された前記インタフェイスコマンドを受信する段階をさらに含む、ことを特徴とする請求項１１に記載の電子システムの動作方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
所定状態に制御可能な状態制御手段と、
特別演出を実行可能な特別演出実行手段と、
前記所定状態に関連する関連表示を表示手段に表示可能な表示制御手段と、を備え、
前記表示制御手段は、
前記特別演出の実行中に、動作を伴う所定態様にて前記関連表示を表示可能であり、
前記特別演出の態様の変化に応じて、前記関連表示の態様を前記所定態様から前記所定態様とは動作速度の異なる特別態様へ変化させることが可能であり、
前記関連表示として、前記特別演出の態様の変化に応じて前記所定態様から前記特別態様へ変化する第１関連表示と、前記特別演出の態様の変化に応じて態様が変化しない第２関連表示と、を表示可能である
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技を実行可能な遊技機であって、所定状態（例えば、所定の演出（スーパーリーチ演出）を実行している状態や、エラーを検出している状態。所定の遊技状態（低確率低ベース状態（通常状態）、低確率高ベース状態（時短状態）、高確率低ベース状態（潜伏状態）、高確率高ベース状態（確変状態））や、特定の演出モードに制御されている状態であってもよい）に制御可能な状態制御手段（例えば、演出制御用ＣＰＵ１２０における、ステップＳ１７２を実行することによりスーパーリーチ演出を実行している状態に制御する部分や、遊技制御用マイクロコンピュータ１００におけるエラーを検出する部分。他には、遊技制御用マイクロコンピュータ１００における、所定の遊技状態に制御する部分や、演出制御用ＣＰＵ１２０における、所定の演出モードに制御する部分や、所定の演出を実行する部分であってもよい）と、特別演出（例えば、スーパーリーチ演出）を実行可能な特別演出実行手段（例えば、演出制御用ＣＰＵ１２０における、ステップＳ１７２を行うことによりスーパーリーチ演出を実行する部分）と、所定状態に関連する関連表示（例えば、テロップ表示）を表示手段（例えば、画像表示装置５）に表示可能な表示制御手段（例えば、演出制御用ＣＰＵ１２０における、ステップＳ１７２を行うことにより第１テロップ演出を行う部分と、ステップＳ７５においてエラーを検出したことを示すコマンドを受信した場合に第２テロップ演出を行う部分）と、を備え、表示制御手段は、特別演出の実行中に、動作を伴う所定態様（例えば、中速で文字が移動する第１段階）にて関連表示を表示可能であり、特別演出の態様の変化に応じて、関連表示の態様を所定態様から所定態様とは動作速度の異なる特別態様（例えば、高速で文字が移動する第２段階、低速で文字が移動する第３段階）へ変化させることが可能であり（例えば、演出制御用ＣＰＵ１２０は、ステップＳ１７２を実行することにより、スーパーリーチ演出の前半（カットイン表示を行うより前）では第１段階にて第１テロップ表示１１５ＩＷ１０を行い、スーパーリーチ演出の後半（カットイン表示を行った後）では第２段階にて第１テロップ表示１１５ＩＷ１０を行い、変動停止直前では第３段階にて第１テロップ表示１１５ＩＷ１０を行う（図２１−１参照））、関連表示として、特別演出の態様の変化に応じて所定態様から特別態様へ変化する第１関連表示（例えば、スーパーリーチ演出の進展具合に応じて文字の表示速度の段階が変化する第１テロップ表示１１５ＩＷ１０）と、特別演出の態様の変化に応じて態様が変化しない第２関連表示（例えば、スーパーリーチ演出の進展具合にかかわらず態様が一定である第２テロップ表示１１５ＩＷ２０）と、を表示可能である（図２１−２参照）ことを特徴とする。そのような構成によれば、演出効果を高めることができる。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値を設定可能な設定手段と、
前記設定手段によって設定された設定値にもとづいて前記有利状態の制御を実行可能な遊技制御手段と、
前記遊技制御手段から送信される制御情報に基づいて演出の制御を行う演出制御手段と、を備え、
前記遊技制御手段は、前記設定値を特定可能な前記制御情報として、前記設定手段によって設定された設定値とは異なる数値であって該設定値を変換した秘匿値を含む設定値制御情報を送信可能であって、
前記演出制御手段は、前記遊技制御手段から送信された前記設定値制御情報に含まれる秘匿値を記憶するとともに、該秘匿値から特定した設定値に関する演出を実行可能である、
ことを特徴とする遊技機。
【手続補正２】
【補正対象書類名】明細書
【補正対象項目名】０００６
【補正方法】変更
【補正の内容】
【０００６】
手段１の遊技機は、
遊技者にとって有利な有利状態（例えば、大当り遊技状態）に制御可能な遊技機（例えば、パチンコ遊技機１）であって、
複数の設定値（例えば、１〜３の設定値）のうちのいずれかの設定値を設定可能な設定手段（例えば、ＣＰＵ１０３が図２０−２１に示す設定変更処理を実行する部分）と、  
前記設定手段によって設定された設定値にもとづいて前記有利状態の制御を実行可能な遊技制御手段（例えば、ＣＰＵ１０３が図５に示すてプロセス制御処理を実行する部分）と、
前記遊技制御手段から送信される制御情報に基づいて演出の制御を行う演出制御手段（例えば、演出制御用ＣＰＵ１２０が図２０−４６に示す朝いち背景演出（設定値示唆演出）を実行する部分）と、を備え、
前記遊技制御手段は、前記設定値を特定可能な前記制御情報として、前記設定手段によって設定された設定値とは異なる数値であって該設定値を変換した秘匿値を含む設定値制御情報（例えば、設定値指定コマンド）を送信可能であって（例えば、ＣＰＵ１０３が設定値変換処理の１１０ＳＧ３０３の処理の実行後にコマンド制御処理（Ｓ２７）を実行する部分）、
前記演出制御手段は、前記遊技制御手段から送信された前記設定値制御情報に含まれる秘匿値を記憶する（例えば、演出制御用ＣＰＵ１２０が図２０−４５に示す設定値更新処理の１１０ＳＧ３１３の処理を実行する部分）とともに、該秘匿値から特定した設定値に関する演出を実行可能である（例えば、パチンコ遊技機１に電源が投入されてから１時間が経過するまでや、１００回の変動表示が実行されるまで朝いち背景演出（設定値示唆演出）を実行する部分）
ことを特徴としている。
この特徴によれば、記憶されている設定値が改竄されてしまうことを防ぐことができる。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技の進行を制御する遊技制御手段と、
前記遊技制御手段からの情報にもとづいて演出を制御する演出制御手段と、を備え、
前記遊技制御手段は、
所定条件が成立した後、特定領域を遊技媒体が通過したことにもとづいて、遊技者にとって有利な有利状態に制御可能な有利状態制御手段と、
前記特定領域を遊技媒体が通過したことにもとづいて、普通識別情報の可変表示を実行可能な普通可変表示実行手段と、
普通識別情報の可変表示の表示結果が所定表示結果となったことにもとづいて、可変手段を進入容易状態に制御する可変手段制御手段と、
前記演出制御手段に情報を出力する情報出力手段と、を含み、
前記情報出力手段は、前記特定領域を遊技媒体が通過したことにもとづいて、状態に応じて異なる特定通過情報を出力し、
前記演出制御手段は、前記特定通過情報を入力したことにもとづいて普通識別情報の可変表示に対応した演出を実行可能な演出実行手段を含む
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、遊遊技を行うことが可能な遊技機であって、遊技の進行を制御する遊技制御手段（例えば、遊技制御用マイクロコンピュータ５６０）と、遊技制御手段からの情報にもとづいて演出を制御する演出制御手段（例えば、演出制御用マイクロコンピュータ２００）と、を備え、遊技制御手段は、所定条件（例えば、大当り図柄を導出表示したこと）が成立した後、特定領域（例えば、ゲート３２）を遊技媒体（例えば、遊技球）が通過したことにもとづいて、遊技者にとって有利な有利状態（例えば、大当り遊技状態）に制御可能な有利状態制御手段（例えば、遊技制御用マイクロコンピュータ５６０におけるステップＳ３０６〜Ｓ３０８，Ｓ３５６〜Ｓ３５８を実行する部分）と、特定領域を遊技媒体が通過したことにもとづいて、普通識別情報（例えば、普通図柄）の可変表示を実行可能な普通可変表示実行手段（例えば、遊技制御用マイクロコンピュータ５６０におけるステップＳ５１００〜Ｓ５１０２を実行する部分）と、普通識別情報の可変表示の表示結果が所定表示結果（例えば、当り図柄）となったことにもとづいて、可変手段（例えば、可変入賞球装置１５）を進入容易状態（例えば、開放状態）に制御する可変手段制御手段（例えば、遊技制御用マイクロコンピュータ５６０におけるステップＳ５１０３〜Ｓ５１０４を実行する部分）と、演出制御手段に情報を出力する情報出力手段（例えば、遊技制御用マイクロコンピュータ５６０におけるステップＳ５１１３，Ｓ５１１４を実行する部分）と、を含み、情報出力手段は、特定領域を遊技媒体が通過したことにもとづいて、状態に応じて異なる特定通過情報（例えば、ゲート通過Ａ指定コマンド、ゲート通過Ｂ指定コマンド）を出力し（例えば、変形例２において、遊技制御用マイクロコンピュータ５６０は、ゲート通過待ち状態以外のときであればゲート通過Ａ指定コマンドを送信し、ゲート通過待ち状態であればゲート通過Ｂ指定コマンドを送信する。また、例えば、遊技制御用マイクロコンピュータ５６０は、非ＫＴ状態中であればゲート通過１指定コマンドを送信し、ＫＴ状態中であればゲート通過２指定コマンドを送信するものであってもよい。）、演出制御手段は、特定通過情報を入力したことにもとづいて普通識別情報の可変表示に対応した演出（例えば、左打ち表示の表示）を実行可能な演出実行手段（例えば、演出制御用マイクロコンピュータ２００におけるステップＳ６８４を実行する部分）を含むことを特徴とする。そのような構成によれば、演出制御手段側で適切に状態を把握することができ、適切に情報を出力することができる。
（手段１）他の遊技機は、遊遊技を行うことが可能な遊技機であって、遊技の進行を制御する遊技制御手段（例えば、遊技制御用マイクロコンピュータ５６０）と、遊技制御手段からの情報にもとづいて演出を制御する演出制御手段（例えば、演出制御用マイクロコンピュータ２００）とを備え、遊技制御手段は、所定条件（例えば、大当り図柄を導出表示したこと）が成立した後、特定領域（例えば、ゲート３２）を遊技媒体（例えば、遊技球）が通過したことにもとづいて、遊技者にとって有利な有利状態（例えば、大当り遊技状態）に制御可能な有利状態制御手段（例えば、遊技制御用マイクロコンピュータ５６０におけるステップＳ３０６〜Ｓ３０８，Ｓ３５６〜Ｓ３５８を実行する部分）と、特定領域を遊技媒体が通過したことにもとづいて、普通識別情報（例えば、普通図柄）の可変表示を実行可能な普通可変表示実行手段（例えば、遊技制御用マイクロコンピュータ５６０におけるステップＳ５１００〜Ｓ５１０２を実行する部分）と、普通識別情報の可変表示の表示結果が所定表示結果（例えば、当り図柄）となったことにもとづいて、可変装置（例えば、可変入賞球装置１５）を進入容易状態（例えば、開放状態）に制御する可変装置制御手段（例えば、遊技制御用マイクロコンピュータ５６０におけるステップＳ５１０３〜Ｓ５１０４を実行する部分）と、演出制御手段に情報を出力する情報出力手段（例えば、遊技制御用マイクロコンピュータ５６０におけるステップＳ５１１３，Ｓ５１１４を実行する部分）とを含み、情報出力手段は、特定領域を遊技媒体が通過したことにもとづいて、状態に応じて異なる特定通過情報（例えば、ゲート通過Ａ指定コマンド、ゲート通過Ｂ指定コマンド）を出力する（例えば、変形例２において、遊技制御用マイクロコンピュータ５６０は、ゲート通過待ち状態以外のときであればゲート通過Ａ指定コマンドを送信し、ゲート通過待ち状態であればゲート通過Ｂ指定コマンドを送信する。また、例えば、遊技制御用マイクロコンピュータ５６０は、非ＫＴ状態中であればゲート通過１指定コマンドを送信し、ＫＴ状態中であればゲート通過２指定コマンドを送信するものであってもよい。）ことを特徴とする。そのような構成によれば、演出制御手段側で適切に状態を把握することができ、適切に情報を出力することができる。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
遊技者に有利な有利状態に制御可能な遊技機であって、
遊技者が操作可能な操作手段と、
前記操作手段が操作されたことを検出する検出手段と、
少なくとも前記操作手段を振動させることが可能な振動手段と、を備え、
前記振動手段は、前記検出手段により操作が検出されているときは、前記検出手段により操作が検出されていないときよりも、前記操作手段を強く振動させ、
前記検出手段により操作が検出されたことに基づいて操作演出を実行可能であり、
前記検出手段により操作が検出されていないときに前記操作手段が振動した場合、その後に前記操作演出が実行される場合と前記操作演出が実行されない場合とがある
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技者に有利な有利状態（例えば大当り遊技状態）に制御可能な遊技機（例えばパチンコ遊技機１）であって、
遊技者が操作可能な操作手段（例えばプッシュボタン３１Ｂ）と、
前記操作手段が操作されたことを検出する検出手段（例えばプッシュセンサ３５Ｂ）と、
少なくとも前記操作手段を振動させることが可能な振動手段（例えば振動モータ３０４）と、を備え、
前記振動手段は、前記検出手段により操作が検出されているときは、前記検出手段により操作が検出されていないときよりも、前記操作手段を強く振動させ（例えば図１６）、
前記検出手段により操作が検出されたことに基づいて操作演出（例えばボタン予告）を実行可能であり、
前記検出手段により操作が検出されていないときに前記操作手段が振動した場合、その後に前記操作演出が実行される場合と前記操作演出が実行されない場合とがある。
このような構成によれば、好適に遊技者に振動を伝達することができる。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
識別情報の可変表示を行い、特定表示結果が導出表示された場合に遊技者に所定の遊技価値を付与する特定状態に制御可能な遊技機であって、
前記特定状態を含む複数の遊技状態のいずれかに制御可能な状態制御手段と、
付与された遊技価値に関する表示が可能な表示手段と、を備え、
前記状態制御手段は、
前記特定表示結果と異なる所定表示結果が導出表示された場合に、前記特定状態よりも少ない前記遊技価値を付与可能な所定状態に制御可能であり、
前記特定状態に制御されたことに基づいて、前記所定状態に制御される頻度が通常状態よりも高い特別状態に制御可能であり、
前記表示手段は、前記特定状態中に付与された前記遊技価値を示す表示と、前記特別状態中に付与された前記遊技価値を示す表示と、を別々に表示可能であり、さらに前記特別状態に制御される前の前記特定状態で付与された前記遊技価値を示す表示を遊技価値履歴画像として表示可能である、
ことを特徴とする遊技機。
【手続補正２】
【補正対象書類名】明細書
【補正対象項目名】０００６
【補正方法】変更
【補正の内容】
【０００６】
手段Ａの遊技機は、識別情報の可変表示を行い、特定表示結果が導出表示された場合に遊技者に所定の遊技価値を付与する特定状態に制御可能な遊技機であって、
前記特定状態を含む複数の遊技状態のいずれかに制御可能な状態制御手段と、
付与された遊技価値に関する表示が可能な表示手段と、を備え、
前記状態制御手段は、
前記特定表示結果と異なる所定表示結果が導出表示された場合に、前記特定状態よりも少ない前記遊技価値を付与可能な所定状態に制御可能であり、
前記特定状態に制御されたことに基づいて、前記所定状態に制御される頻度が通常状態よりも高い特別状態に制御可能であり、
前記表示手段は、前記特定状態中に付与された前記遊技価値を示す表示と、前記特別状態中に付与された前記遊技価値を示す表示と、を別々に表示可能であり、さらに前記特別状態に制御される前の前記特定状態で付与された前記遊技価値を示す表示を遊技価値履歴画像として表示可能である、
ことを特徴とする。
さらに、手段１の遊技機は、識別情報（例えば、特別図柄、飾り図柄、背景図柄）の可変表示を行い、特定表示結果（例えば大当り表示結果）が導出表示されたときに遊技者に所定の遊技価値を付与する特定状態（例えば、大当り遊技状態）に制御可能な遊技機（例えば、パチンコ遊技機１）であって、
前記特定状態を含む複数の遊技状態のいずれかに制御可能な状態制御手段（例えば、遊技制御用マイクロコンピュータ５６０）と、
付与された遊技価値（例えば、賞球）に関する表示が可能な表示手段（例えば、演出表示装置９）とを備え、
前記状態制御手段は、
前記特定表示結果とは異なる所定表示結果（例えば、小当り表示結果）が導出表示されたときに、前記特定状態よりも少ない前記遊技価値を付与可能な所定状態（例えば、小当り遊技状態）に制御可能であり、
前記特定状態に制御されたことに基づいて、前記所定状態に制御される頻度が通常状態よりも高い特別状態（例えば、第２ＫＴ状態）に制御可能であり、
前記表示手段は、前記特定状態中に付与された前記遊技価値を示す表示と、前記特別状態中に付与された前記遊技価値を示す表示とを別々に表示可能である（例えば、図３８（Ｃ）に示すように、大当り遊技状態で付与された賞球と、第２ＫＴ状態中に付与された賞球とを別々の履歴アイコン画像１５８Ｆ００２および小当り履歴アイコン画像１５８Ｆ００５として表示可能である）。
【手続補正書】
【提出日】令和1年9月26日(2019.9.26)
【手続補正１】
【補正対象書類名】特許請求の範囲
【補正対象項目名】請求項１
【補正方法】変更
【補正の内容】
【請求項１】
検知手段Ａ及び検知手段Ｂ（検知手段Ｂは、検知手段Ａより下流側に位置する）を備え、
電源の供給が遮断される事象が発生した時から、当該電源の供給が遮断される事象を検知した時までの期間の設計値をＴ１とし、
検知手段Ａが対象物を検知した時から、検知手段Ｂが対象物を検知したあと検知手段Ｂが対象物を検知しなくなった時までの期間の設計値をＴ２としたとき、
Ｔ１＜Ｔ２
となっている遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
検知手段Ａ（投入センサ４４ａ）及び検知手段Ｂ（投入センサ４４ｂ）（検知手段Ｂは、検知手段Ａより下流側に位置する）を備え、
電源の供給が遮断される事象が発生した時から、当該電源の供給が遮断される事象を検知した時までの期間の設計値（図５の例２中、電源断発生から電源断検知まで）をＴ１とし、
検知手段Ａが対象物を検知した時から、検知手段Ｂが対象物を検知したあと検知手段Ｂが対象物を検知しなくなった時までの期間の設計値（図５中、Ｓ２１からＳ２４まで）をＴ２としたとき、
Ｔ１＜Ｔ２
となっている。
【手続補正書】
【提出日】令和1年8月22日(2019.8.22)
【手続補正１】
【補正対象書類名】特許請求の範囲
【補正対象項目名】請求項１
【補正方法】変更
【補正の内容】
【請求項１】
演算機能を備えた所定のＩＣと、
一方の面に前記所定のＩＣを搭載した所定の制御基板と、
前記所定の制御基板を収容する基板ケースと
を備え、
前記基板ケースに前記所定の制御基板が収容されている状態では、前記所定のＩＣが視認可能となっており、
前記基板ケースには、前記基板ケースの成型時のゲート跡を有し、
前記基板ケースにおいて、前記一方の面に対して垂直な方向における前記所定のＩＣと対向する範囲には、ゲート跡を有さない
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
演算機能を備えた所定のＩＣ（メインＣＰＵ５５）と、
一方の面に前記所定のＩＣを搭載した所定の制御基板（メイン制御基板５０）と、
前記所定の制御基板を収容する基板ケース（５６（上カバー５７及び下カバー５８））と
を備え、
前記基板ケースに前記所定の制御基板が収容されている状態では、前記所定のＩＣが視認可能となっており、
前記基板ケースには、前記基板ケースの成型時のゲート跡（５７ｂ及び５８ｂ）を有し、
前記基板ケースにおいて、前記一方の面に対して垂直な方向における前記所定のＩＣと対向する範囲には、ゲート跡を有さない
ことを特徴とする。
【手続補正書】
【提出日】令和1年8月22日(2019.8.22)
【手続補正１】
【補正対象書類名】特許請求の範囲
【補正対象項目名】請求項１
【補正方法】変更
【補正の内容】
【請求項１】
遊技媒体投入口と、
前記遊技媒体投入口から投入された遊技媒体が通過する通路中に設けられ、遊技媒体を検知し得る検知手段Ａ及び検知手段Ｂ（検知手段Ｂは、検知手段Ａより下流側に位置する）と、
ホッパーと、
前記ホッパーを駆動させて遊技媒体を払い出すときに変位可能な可動片を検知し得る検知手段Ｃ及び検知手段Ｄ（検知手段Ｃは可動片が初期位置にあるときに検知し、検知手段Ｄは可動片が変位した後の所定位置にあるときに検知する）と
を備え、
ベット数が「３」であり、クレジット数が所定値（所定値はクレジット数の上限値未満の値）であることを含む所定の状況にて、前記遊技媒体投入口から遊技媒体が投入される場合において、当該遊技媒体に対する検知手段Ａと検知手段Ｂの検知状況が所定条件を満たすと、クレジット数に「１」を加算し得るよう構成されており、
ベット数が「３」であり、クレジット数が所定値（所定値はクレジット数の上限値未満の値）であることを含む所定の状況にて、電源の供給が遮断される事象が発生した時から、当該電源の供給が遮断される事象を検知した時までの期間の設計値をＴ１とし、
ベット数が「３」であり、クレジット数が所定値（所定値はクレジット数の上限値未満の値）であることを含む所定の状況にて、前記遊技媒体投入口から遊技媒体が投入される場合において、当該遊技媒体を検知手段Ａが検知した時から、当該遊技媒体を検知手段Ｂが検知したあと当該遊技媒体を検知手段Ａが検知しなくなり当該遊技媒体を検知手段Ｂが検知しなくなった時までの期間の設計値をＴ２とし、
前記ホッパーを駆動させることによって所定数の遊技媒体のうち１の遊技媒体を払い出す場合において、検知手段Ｃが可動片を検知しなくなった時から、検知手段Ｄが可動片を検知したあと再度検知手段Ｃが可動片を検知した時までの期間の設計値をＴ３としたとき、
Ｔ１＞Ｔ２
Ｔ１＞Ｔ３
となっている遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
遊技媒体投入口（メダル投入口４７）と、
前記遊技媒体投入口から投入された遊技媒体が通過する通路中に設けられ、遊技媒体を検知し得る検知手段Ａ（投入センサ４４ａ）及び検知手段Ｂ（投入センサ４４ｂ）（検知手段Ｂは、検知手段Ａより下流側に位置する）と、
ホッパー（３５）と、
前記ホッパーを駆動させて遊技媒体を払い出すときに変位可能な可動片（３９ａ）を検知し得る検知手段Ｃ（払出しセンサ３７ａ）及び検知手段Ｄ（払出しセンサ３７ｂ）（検知手段Ｃは可動片が初期位置（図７（ａ）の位置）にあるときに検知し、検知手段Ｄは可動片が変位した後の所定位置（図７（ｃ）の位置）にあるときに検知する）と
を備え、
ベット数が「３」であり、クレジット数が所定値（所定値はクレジット数の上限値未満の値）であることを含む所定の状況にて、前記遊技媒体投入口から遊技媒体が投入される場合において、当該遊技媒体に対する検知手段Ａと検知手段Ｂの検知状況が所定条件を満たすと、クレジット数に「１」を加算し得るよう構成されており、
ベット数が「３」であり、クレジット数が所定値（所定値はクレジット数の上限値未満の値）であることを含む所定の状況にて、電源の供給が遮断される事象が発生した時から、当該電源の供給が遮断される事象を検知した時までの期間の設計値をＴ１（図５の例１、及び図８中、「電源断発生」から「電源断検知」まで）とし、
ベット数が「３」であり、クレジット数が所定値（所定値はクレジット数の上限値未満の値）であることを含む所定の状況にて、前記遊技媒体投入口から遊技媒体が投入される場合において、当該遊技媒体を検知手段Ａが検知した時から、当該遊技媒体を検知手段Ｂが検知したあと当該遊技媒体を検知手段Ａが検知しなくなり当該遊技媒体を検知手段Ｂが検知しなくなった時までの期間の設計値をＴ２（図５中、Ｓ２１からＳ２４まで）とし、
前記ホッパーを駆動させることによって所定数の遊技媒体のうち１の遊技媒体を払い出す場合において、検知手段Ｃが可動片を検知しなくなった時から、検知手段Ｄが可動片を検知したあと再度検知手段Ｃが可動片を検知した時までの期間の設計値をＴ３（図８中、Ｓ３１からＳ３４まで）としたとき、
Ｔ１＞Ｔ２
Ｔ１＞Ｔ３
となっている。
【手続補正書】
【提出日】令和1年9月26日(2019.9.26)
【手続補正１】
【補正対象書類名】特許請求の範囲
【補正対象項目名】請求項１
【補正方法】変更
【補正の内容】
【請求項１】
ホッパーと、
前記ホッパーを駆動させて遊技媒体を払い出すときに変位可能な可動片を検知し得る検知手段Ｃ及び検知手段Ｄ（検知手段Ｃは可動片が初期位置にあるときに検知しており、検知手段Ｄは可動片が変位した後の所定位置にあるときに検知している）と
を備え、
電源の供給が遮断される事象が発生した時から、当該電源の供給が遮断される事象を検知した時までの期間の設計値をＴ１とし、
前記ホッパーを駆動させることによって特定数の遊技媒体を払い出す場合において、検知手段Ｃが可動片を検知しなくなった時から、検知手段Ｄが可動片を検知したあと再度検知手段Ｃが可動片を検知して、次の遊技媒体を払い出すために再度検知手段Ｃが可動片を検知しなくなった時までの期間の設計値をＴ４としたとき、
Ｔ１＜Ｔ４
となっている遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
ホッパー（３５）と、
前記ホッパーを駆動させて遊技媒体を払い出すときに変位可能な可動片を検知し得る検知手段Ｃ（払出しセンサ３７ａ）及び検知手段Ｄ（払出しセンサ３７ｂ）（検知手段Ｃは可動片が初期位置にあるときに検知しており、検知手段Ｄは可動片が変位した後の所定位置にあるときに検知している）と
を備え、
電源の供給が遮断される事象が発生した時から、当該電源の供給が遮断される事象を検知した時までの期間の設計値（図８中、電源断発生から電源断検知まで）をＴ１とし、
前記ホッパーを駆動させることによって特定数の遊技媒体を払い出す場合において、検知手段Ｃが可動片を検知しなくなった時から、検知手段Ｄが可動片を検知したあと再度検知手段Ｃが可動片を検知して、次の遊技媒体を払い出すために再度検知手段Ｃが可動片を検知しなくなった時までの期間の設計値（図８中、Ｓ３１からＳ３５まで）をＴ４としたとき、
Ｔ１＜Ｔ４
となっている。